(57)【特許請求の範囲】
【請求項１】
電子文書を印刷した紙文書が載置されるとともにペン型加筆装置により加筆を行うことにより加筆情報を入力可能なタブレット型装置と、前記タブレット型装置を制御するホストコンピュータとを備えた情報処理装置において、
前記タブレット型装置は、前記紙文書に加筆される前記加筆情報の座標を取得する座標取得装置と、前記紙文書の元の電子文書を識別するための識別情報を取得する識別情報取得装置と、前記紙文書から取得された前記加筆情報および前記識別情報を保存する取得情報保存装置と、これらを制御する制御装置とを備え、
前記識別情報取得装置は、前記紙文書に複数の識別領域を定義する識別領域設定装置と、前記複数の識別領域のそれぞれに座標入力が行われた順番を記録する入力順序記録装置と、前記入力順序記録装置に記録された順番を予め設定されたコード情報に変換して識別情報とする識別情報解読装置とを備え、
前記識別情報解読装置により得られた前記識別情報を付した上で、前記識別情報により前記紙文書の元の前記電子文書を特定し、前記加筆情報を前記紙文書の元の前記電子文書に関連付けることを特徴とする情報処理装置。
【発明の詳細な説明】
【０００１】
【発明の属する技術分野】
本発明は、電子的に作成され普通紙に印刷もしくはデジタルペーパに表示された文書への加筆情報を取得可能な加筆情報取得装置に関し、特に、普通紙印刷文書等において、元になる電子文書を特定するための文書識別情報入力手段を備えた情報処理装置に関するものである。
【０００２】
【従来の技術】
近年、ほとんどの文書や各種ドキュメントは、ワードプロセッサやＰＣ（パーソナルコンピュータ）等によって電子データとして作成され、フロッピーディスク、ハードディスクに保存され、またインターネット等で伝送されるようになった。これら電子化された文書（電子文書）は、解像度に限界のある比較的低解像度のディスプレイ上に表示されるため、閲覧に不便であり、また可搬性に難点がある。そこで電子文書を、一旦、普通紙に印刷した上で印刷物を閲覧し、あるいは、その印刷物を持ち運んで利用することが多い。一方、印刷物（紙文書）の誤字脱字の修正や、新たな文書を付加すること、または、注文伝票や請求書と云ったように、所定のフォーマットの所定位置を空欄にしておき、この空欄に案件毎に数字や商品名などを記入加筆することも頻繁に行われるが、文章等が印刷された普通紙に書き込んでも、元の電子データに直接修正を加えるものではないので、電子的な元文書と加筆事項とは何らリンクされておらず、後で元文書を電子的に編集し直す必要がある。このような場面において、印刷された紙文書に加筆すると電子的な元文書に自動的に反映されるシステム、端的にいえば、紙ベースのタブレットシステムが求められている。このような紙ベースのタブレットシステムを実現するためには、まず、紙面上でのペン先端部の座標を取得するとともに、印刷された紙文書の電子的な元文書を同定する必要がある。
【０００３】
従来、電子データに基づいて印刷された文書と、前記元の電子データとの関連付けを行う手段として、特開２０００−１１２６４６公報「情報処理装置及び情報表示媒体」には、電子文書を同定するための情報（識別情報）としてファイル情報（ファイル名など）を、印刷紙面に二次元バーコード等の識別情報を印刷しておき、タブレット上で加筆する際に紙面上のバーコードを読み取り、紙文書への加筆情報を該当する電子文書と関連付けて、電子データの修正・編集に利用するものである。
また、特開平１１−２０３４０９号公報「筆記データ入力装置及び記憶媒体」には、タブレット上に載置した用紙の座標位置の校正（キャリブレーション）に際して、用紙上の複数のチェックポイントを筆記具等で押圧する順序と、書面の形式、例えば発注伝票、出金伝票、見積書等の文書の種類とを関連付ける手段が開示されており、この方法によれば、通常、用紙をタブレットに載置した際に行われる座標位置校正と文書形式指定とが同時に行われるので、操作が簡便になる。
更に近年、デジタルペーパーあるいは電子ペーパーと称し、電子的に文章や画像を書込・消去自在の、紙状の薄い表示装置が研究されている。これは、積層型液晶、マイクロカプセル型電気泳動粒子、ロイコ染料等の、物理的もしくは化学的に変色し得る材料を、薄い透明フィルムにて挟み込んで紙状にしたものであり、木材等の資源消費の削減による自然環境保護と同時に、上述したように、印刷書面に書き込んだ加筆情報を、自動的に電子データとして取り込む手段の一つとして利用可能である点が注目されている。ロイコ染料を顕色剤と混合したカラーサーモクロミックは、加熱により透明状態と黒色状態とに可逆的に変化するよう調整されているので、この画像表示層が透明な部分では、これと透明な保護フィルムを介してベースフィルムの白色が視認され、画像表示層が黒色に変化した部分では、透明な保護フィルムを介して視認される。この画像表示面は画像表示層の状態変化により実現されるので、情報の表示と消去にはエネルギを消費するが、表示した画像情報の維持にはエネルギを消費しない。
なお、用紙に加筆した情報の座標検出方法や、タブレットの構成、動作等は、上記特開平１１−２０３４０９号公報「筆記データ入力装置及び記憶媒体」他に詳しく述べられているのでここでの説明は省略する。
【０００４】
【発明が解決しようとする課題】
しかしながら、印刷された文書に対する修正やチェック、メモ挿入等の加筆情報を元の電子的文書に自動的に反映させる従来のシステムにおいては、元の電子文書と印刷紙面文書との関連付け手段が、光学的に読み取り可能なバーコードとして印刷されるものであるが、これらバーコードの意味を人が直ちに読み取ることは困難であり、人にとって直接意味のないバーコードが紙面に印刷されることになり、文書の読み取りを妨げ、文書の外観を著しく損ねることになる。
また、文書識別情報を印刷していない紙文書に対する加筆情報を、元の電子文書と関連付けしたいと云う願望も大きいが、従来の方法では、いずれの手段においても、この願望を満たし得るものではなかった。無理に、複数の識別情報のない紙文書を取り扱おうとしても、それらを電子的に区別することが不可能であり、異なる紙文書への加筆情報が同一の電子文書に対して重畳されてしまうという混乱を招くだけであった。
本発明は、このような従来の印刷文書と、その元になった電子文書データとの関連付け手段に関する問題を解決するためになされたものであって、文書識別情報としてのバーコード等の識別情報が印刷されていない紙文書であっても、文書識別情報を入力することが可能な情報処理装置を提供することを目的としている。また、予め識別符号等が印刷された紙文書が含まれる場合においても、効率的に対応し得る情報処理装置を提供することを目的としている。
【０００５】
【課題を解決するための手段】
上記目的を達成するために本発明では、請求項１記載の情報処理装置では、電子文書を印刷した紙文書が載置されるとともにペン型加筆装置により加筆を行うことにより加筆情報を入力可能なタブレット型装置と、前記タブレット型装置を制御するホストコンピュータとを備えた情報処理装置において、前記タブレット型装置は、前記紙文書に加筆される前記加筆情報の座標を取得する座標取得装置と、前記紙文書の元の電子文書を識別するための識別情報を取得する識別情報取得装置と、前記紙文書から取得された前記加筆情報および前記識別情報を保存する取得情報保存装置と、これらを制御する制御装置とを備え、前記識別情報取得装置は、前記紙文書に複数の識別領域を定義する識別領域設定装置と、前記複数の識別領域のそれぞれに座標入力が行われた順番を記録する入力順序記録装置と、前記入力順序記録装置に記録された順番を予め設定されたコード情報に変換して識別情報とする識別情報解読装置とを備え、前記識別情報解読装置により得られた前記識別情報を付した上で、前記識別情報により前記紙文書の元の前記電子文書を特定し、前記加筆情報を前記紙文書の元の前記電子文書に関連付けることを特徴とする。この発明では、バーコード等の識別情報が付されていない紙文書等に関して、加筆情報に基づいて識別情報を生成した上で、加筆情報と元の電子文書とを関連付けすることができる。これにより、紙文書から元の電子文書を特定することができるようになる。
また、本発明の情報処理装置は、電子的に作成された文書が印刷された紙文書に対して加えられた加筆情報を取得可能な加筆情報取得装置において、元の電子文書を識別する識別情報入力手段を二つ以上備えたことを特徴とする。この発明では、元の電子文書を識別する識別情報入力手段を二つ以上備えたので、夫々、種々の形式で印刷された紙文書に対応して、元の電子文書との関連付けを効率的に行うことができる。本発明の情報処理装置では、電子的に作成された文書が印刷された紙文書に対して加えられた加筆情報を取得することが可能な加筆情報取得装置において、予め紙文書に印刷された元の電子文書を識別するバーコード等の識別符号を読み取る手段と、元になる電子文書を識別する文書識別情報を紙文書に新たに入力する識別情報入力手段とを備えたこと特徴とする。この発明では、紙文書に予めバーコード等の識別符号が印刷されたものに対しては、当該バーコードを読み取って元の電子文書に関連付け処理を行い、これらの識別符号が付されていない紙文書等に関しては、新たに識別符号を入力した上で、元の電子文書を特定することができる。本発明の情報処理装置では、少なくとも一つの識別情報入力手段が、特定の領域の加筆情報を選別して切り出す特定領域加筆情報切り出し手段と、切り出された加筆情報を文字認識する文字認識手段とからなることを特徴とする。この発明においては、予め定められた領域の加筆情報を選別して切り出すことができるので、加筆された情報を元電子文書と自動的に関連付けを行うことができる。
【０００６】
本発明の情報処理装置では、少なくとも一つの識別情報入力手段が、加筆情報から特定の図形の加筆を選別して切り出す座標加筆情報切り出し手段と、切り出された加筆情報を文字認識する文字認識手段とからなることを特徴とする。この発明によれば、特定の図形を識別情報として認識されるので、紙面の任意の領域に加筆された図形によって、元の電子文書との関連付けを行うことができる。本発明の情報処理装置では、少なくとも一つの識別情報入力手段が、特定の領域と予め定められたコード情報とを関連付け領域コードとして定義する特定領域コード化手段と、当該特定領域に加えられた加筆情報の順序を記録する特定領域加筆順序記録手段と、加筆順序と領域コードから識別情報を生成する識別情報生成手段とを有することを特徴とする。この発明によれば、更に、加筆順序にも情報識別機能を有するので、少ない加筆情報によって、より多くの識別情報をもたらし得る。本発明の情報処理装置では、少なくとも一つの識別情報入力手段が、加筆情報から特定の図形の加筆と予め定められたコード情報とを関連付け領域コードとして定義する、特定図形領域コード化手段と、当該特定図形領域に加えられた加筆情報の順序を記録する特定図形領域加筆順序記録手段と、加筆順序と領域コードから識別情報を生成する、識別情報生成手段を有することを特徴とする。この発明においては、更に、バリエーションに富んだ対応が可能である。本発明の情報処理装置では、少なくとも一つの識別情報入力手段が、キーボードを有し、キーボードの入力によって識別情報を生成する識別情報生成手段を有することを特徴とする。この発明によれば、キーボードの入力によって識別情報を生成する識別情報生成手段を有するので、識別機能の精度が向上し、より一層の利便性が得られる。
【０００７】
【発明の実施の形態】
以下、図示した実施の態様例に基づいて、本発明を詳細に説明する。
図１は本発明による情報処理装置の構成の概要を説明するための概念図である。同図に示す構成では、大きく分けるとホストコンピュータ１と、印刷装置２と、タブレット型装置３と、その上に載置された紙文書４と、ペン型加筆装置５とを備えている。更に、前記ホストコンピュータ１は少なくとも、文章等の電子文書を記憶する記憶装置１１と取得情報関連付け装置１２を含んでいる。なお、この例では、ホストコンピュータ１と印刷装置は、前記タブレット型装置３とは別体装置として構成されているが、一体に組み込んでもよい。一方、タブレット型装置３は、載置された印刷紙文書４への加筆情報を取得する座標取得装置１３と、紙文書に印刷された元の電子文書を識別するための情報を取得する識別情報取得装置１４と、紙文書から取得された加筆情報・識別情報を保存する取得情報保存装置１５と、タブレット型装置全体を制御する制御装置（ＣＰＵ）１６とを備えている。
【０００８】
これらの各装置は、図２に示すように互いに接続されており、タブレット型装置３と前記ホストコンピュータ１とを別体に構成する場合は、両者を、例えばＩｒＤＡに準拠した赤外線通信モジュールや無線ＬＡＮもしくはブルーツースなどの無線技術によって接続するか、あるいは、ＵＳＢやシリアルケーブルなどの有線接続によって通信可能にしておく。また、前記タブレット型装置３において、紙文書への加筆情報を取得する座標取得手段は、電磁誘導タブレットや、超音波式タブレットなど、紙文書上への筆記動作における筆記具先端の座標を取得することが可能な装置である。
識別情報取得装置１４は、紙文書に印刷された元の電子文書を特定する識別情報を取得する装置であり、識別情報とは、例えば「c:\MyDocument\Patent.doc,13ページ」などのように、元となる電子文書の保存場所、ページ番号などを特定できる情報で、この装置によって、現在加筆作業が行われている紙文書に印刷されている内容が保存されている電子文書を特定することができる。取得情報関連付け装置１２は、座標取得装置１３と識別情報取得装置１４とによって得られた紙文書に対する加筆情報の座標位置を、元になった電子文書の所要位置に関連付けるための装置である。
【０００９】
図３は上述した本発明による情報処理装置の実施例における、動作の概略を示すフローチャートである。まず、ワープロなどのソフトウェアを用いて電子文書を作成し（Ｓｔｅｐ１）、作成した電子文書を記憶手段１１に記録・保存する（Ｓｔｅｐ２）。記憶手段１１に保存された文書は、印刷装置２によって紙文書４に印刷され（Ｓｔｅｐ３）、その閲覧やチェックに際し、前記タブレット３上の所定位置に載置され、必要に応じて加筆装置５を用いてメモなどを加筆する（Ｓｔｅｐ４）。加筆が行われている間、座標取得装置１３によって加筆座標情報が取得され（Ｓｔｅｐ５）、同時に、識別情報取得装置１４によって紙文書に付された識別情報が取得される（Ｓｔｅｐ６）。これらの情報は、取得情報保存装置１５に保存される（Ｓｔｅｐ７）。加筆動作が継続している間はＳｔｅｐ５、６、７が繰り返されるが、一定時間加筆動作が行われない場合は、加筆動作が終了したものと判断し（Ｓｔｅｐ８  ＹＥＳ）、取得情報関連付け装置１２によって、取得した識別情報と座標情報とに基づいて、紙文書の元となった電子文書を特定すると共に（Ｓｔｅｐ９）、加筆情報が元の電子文書の所要領域に挿入され、編集に利用される（Ｓｔｅｐ１０）。
【００１０】
次に、本発明による情報処理装置に用いられる識別情報取得装置について説明する。
図４は、上述した情報処理装置に用いられる識別情報取得装置１４の本発明に係る、第一の実施態様例を示すブロック構成図であり、図５は、本発明において使用する紙文書４の一実施例である。先ず、第１の実施例において識別情報取得装置１４は、図４に示すように、識別領域切り出し装置２０、識別領域設定装置２１、文字認識装置２２等を備えている。識別領域設定装置２１は、予め設定されている紙文書４上の特定領域を識別情報領域（識別領域）２３として定義する。この例において、識別情報領域（識別領域）２３は、図５に示すように紙文書４の下方部分に設定されている。識別領域切り出し装置２１は、座標取得装置によって得られた座標情報のうち、識別領域設定装置２０によって予め定められた識別領域２３に加筆された座標情報のみを切り出し、識別領域情報として取得する。文字認識装置２２は切り出された識別領域に加筆された文字認識を行い、文字情報を取り出す。この処理によって得られた文字情報は、上記図３に示したフローチャートのＳｔｅｐ７において識別情報として取得情報保存装置１５に蓄えられ、後段の処理に利用される。
【００１１】
なお、その後の処理については、同一出願人の提案になる特開２０００−１１２６４６公報に詳細に説明されているので、その方法を使用すればよい。本発明は、同公報に開示された技術を、必要な部分をそのまま利用して具体的な情報処理装置を構成することもできる。即ち、同公報に示されたように、バーコード等の人間には識別困難な符号を付加することなく、印刷済みの複数の情報表示媒体をパラパラとめくってノート感覚で作業するような場合に、一枚づつを確実に認識して、夫々に加筆された情報を、元の電子文書データに関連付けて取り込むことができる。その手段として、普通紙に印刷された紙文書に対して加筆された情報を、元の電子文書に挿入するために、印刷済みの普通紙をタブレット型装置（当該公報ではデジタイザと云うが、本発明ではタブレット型装置と称する）上に設置し、筆記操作を開始すると、タブレット型装置の２次元コードリーダ機能により２次元コード（紙面の座標情報）が認識され、所定位置に記入されるＩＤ情報を認識して、元電子文書との関連付け処理等が行われ、加筆情報が電子文書に取り込まれる。この例のように、普通紙文書には、バーコード等が記入されていないので、ＩＤ処理を行うことなく、加筆された情報に関してのみ座標情報認識等の処理を行えばよく、加筆データ処理のみで、元の電子文書との関連付けが行われる。即ち、加筆情報がメモリに格納され、この加筆情報を最終的にコンピュータ側に転送させる時には、メモリに格納させた加筆情報のみを、当該コンピュータにはなかった新規なドキュメントとして認識させ、自動的に新規ファイルとしてセーブする（新規文書登録）。これにより、普通紙文書による新規なドキュメント作成時にもその文書をコンピュータに登録することができる。このとき、登録された新規な文書データと元になった電子文書データとの関連付けは、別途ファイルサーバ等において行うこともできる。
【００１２】
そして、このような処理は、普通紙のみならず、例えば、デジタルペーパーや、画像を書替自在に繰り返し表示することができ、表示した画像が電力を消費することなく維持される紙と同様な形状に形成できるものであれば、各種の表示媒体に対して、同様の処理が可能である。このような表示材料としては、サーモクロミック、エレクトロクロミック、ポリマー液晶、強誘電性液晶、双安定ネマティック液晶、相転移型液晶、液晶感光体ライトバルブ、磁気泳動表示体、電気泳動表示体、などがある。これらデジタルペーパーを使用する場合、各々の画像表示に対応した形態にタブレット型装置及びペン型加筆装置は、電磁／発熱ペン（加筆手段）を使用すればよい。また、２次元コード等の識別情報を普通紙やデジタルペーパーの下端辺付近の一部に付す代わりに、タブレット型装置の、保持用クリップにより固定保持される保持辺部分以外であれば、側縁付近の一部等に付すようにしてもよい。２次元コードリーダ等のＩＤ認識手段に関しても、識別情報を付す位置に応じて適宜対応する個所に配設すればよく、或いは、位置変位自在に設けるようにしてもよい。本発明では、上記２次元コードを、以下説明するように種々の態様のものに置換して、より一層使用上の利便性を向上したものである。
【００１３】
図６は、本発明第２の実施例に係る情報処理装置に用いる識別情報取得装置のブロック構成図であり、図７はその際に使用する紙文書４の例を示す図である。第２の実施例において、識別情報取得装置１４は識別領域切り出し装置３０、識別領域図形設定装置３１、識別領域認識装置３２、文字認識装置３３などを備えている。識別領域図形設定装置３１は、予め識別領域を特定するための図形を定義しており、例えば、この例では識別領域図形３４として、識別領域を囲むような手書きの円や三角形、四角形である。識別領域認識装置３２、は識別領域図形設定装置３１によって定義された識別図形３４が描かれた領域を加筆データから認識し、その部分を識別情報領域（識別領域）として定義する。識別領域切り出し装置３０は、座標取得装置１３（図１）によって得られた座標情報のうち、識別領域図形設定装置３１によって識別情報領域（識別領域）として認識された領域に加筆された座標情報のみを切り出し、識別領域情報とする。文字認識装置３３は切り出された識別領域に対し文字認識を行い、記入された加筆情報から文字情報を取り出す。このように取得された文字情報は、識別情報として取得情報保存装置１５（図１）に蓄えられ、上述したように、後段の処理に利用される。
【００１４】
図８は、本発明第３の実施例による情報処理装置に用いられる識別情報取得装置のシステムブロック図、図９はその際に使用される紙文書４の例を示す図である。第３の実施例において、識別情報取得装置１４は、識別領域設定装置４０、入力順序記録装置４１、識別情報解読装置４２等を備えている。識別領域設定装置４０は紙文書上に、図９に示すように予め識別領域４３として複数の領域を定義し、それぞれ定義された識別領域４３は、例えば設定領域１はＡ、設定領域２はＢというように夫々異なるコード情報に対応するようになっている。入力順序記録装置４１は、設定された領域に座標入力が行われた順番を記録する。例えば、設定領域１、設定領域２、設定領域１、設定領域３、・・・の順に座標が入力された場合、領域１、２、１、３、・・・として記録する。識別情報解読装置４２は入力記順序録装置４１に記録された順番と予め設定されているコード情報とに基づいて、例えば上記の入力順序の場合、コード情報Ａ、Ｂ、Ａ、Ｃ、・・・を識別情報として解読する。
このようにして識別情報を付した上で、加筆された情報を元の電子文書と関連付けすればよい。
【００１５】
図１０は、本発明の第４の実施例による情報処理装置に用いられる識別情報取得装置のシステムブロック図、図１１はその際に使用する紙文書４の例を示す図である。第４の実施例において、識別情報取得装置１４は、識別領域図形設定装置５０、入力順序記録装置５１、識別情報解読装置５２などからなる。識別領域図形設定装置５０は予め識別領域として、図１１に示すように複数の図形を識別図形５３として定義し、夫々の図形に対しコードを定義する。例えば、設定図形１は三角形・Ａ、設定図形２は円・Ｂ、設定図形３は四角形・Ｃのように定義される。入力順序記録装置５１は、設定された図形が描かれた領域に座標入力が行われた順番を記録する。例えば、上記例のように、三角形が描かれた領域、円が描かれた領域、三角形が描かれた領域、四角形が描かれた領域、・・・の順に座標が入力された場合、図形１、２、１、３、・・・として記録する。識別情報解読装置５２は入力順序記録装置５１に記録された順番と設定されたコード情報から、例えば上記の例では、コード情報Ａ、Ｂ、Ａ、Ｃ、・・・を識別情報として解読する。従って、このように紙文書の識別情報を付した上で、コンピュータに記憶すれば、加筆された情報を元の電子文書と関連付けした上で、取り込むことが可能となる。
【００１６】
図１２は、本発明第５の実施例による情報処理装置に用いられる識別情報取得装置のシステムの外観図である。第５の実施例においては、識別情報取得装置１４は、前記図１のタブレット型読み取り装置３に、キーボード６０などによる識別情報設定装置を付加したものである。この例ではキーボード６０を備えたので、例えば『ＡＢＡＣ・・・』などの識別情報を、キーボードから直接入力することができる。
以上本発明の実施態様例を説明したが、種々変形が可能である。例えば、上述した実施例において説明した識別情報取得装置を複数設置することも可能である。即ち、公知のバーコードリーダ等のＩＤ識別手段を識別情報取得装置として用いた手書き情報処理装置に、以上説明した識別情報取得装置を同時に設置することによって、バーコード等のＩＤ符号が予め付加された（印刷された）紙文書に対してはバーコードによって記述された識別情報を用い、バーコードが印刷されていない紙文書に対しては、本発明にて説明した識別情報取得装置によって識別情報を付与すると共に、記憶装置に登録しておけば、紙文書への加筆を該当する電子文書に挿入する上で有用である。
【００１７】
【発明の効果】
本発明は以上説明したように、請求項１記載の情報処理装置では、前記識別情報取得装置は、前記紙文書に識別領域を定義する識別領域設定装置と、前記識別領域に座標入力が行われた順番を記録する入力順序記録装置と、前記入力順序記録装置に記録された順番を予め設定されたコード情報に変換して識別情報とする識別情報解読装置とを備え、前記識別情報解読装置により得られた前記識別情報を前記紙文書の元の前記電子文書に関連付けるので、バーコード等の識別情報が付されていない紙文書等に関して、加筆情報に基づいて識別情報を生成した上で、加筆情報と元の電子文書とを関連付けすることができる。これにより、紙文書から元の電子文書を特定することができるようになる。本発明の情報処理装置では、電子的に作成された文書が印刷された紙文書に対して加えられた加筆情報を取得することが可能な加筆情報取得装置において、元の電子文書を識別する識別報入力手段を二つ以上備えたので、夫々、種々の形式で印刷された紙文書に対応して、元の電子文書との関連付けを効率的に行うことができる。本発明の情報処理装置では、電子的に作成された文書が印刷された紙文書に対して加えられた加筆情報を取得することが可能な加筆情報取得装置において、予め紙文書に印刷された元の電子文書を識別するバーコード等の識別符号を読み取る手段と、元になる電子文書を識別する文書識別情報を紙文書に新たに入力する識別情報入力手段とを備えたので、紙文書に予めバーコード等の識別符号が印刷されたものに対しては、当該バーコードを読み取って元の電子文書に関連付け処理を行い、これらの識別符号が付されていない紙文書等に関しては新たに識別符号を入力した上で、元の電子文書を特定することができ、種々の態様の紙文書への加筆情報を、元の電子文書に取り込む上で有用である。本発明の情報処理装置では、少なくとも一つの識別情報入力手段が、特定の領域の加筆情報を選別して切り出す特定領域加筆情報切り出し手段と、切り出された加筆情報を文字認識する文字認識手段とからなるので、予め定められた領域の加筆情報を選別して切り出すことができ、加筆された情報を元電子文書と自動的に関連付けを行い、加筆情報を元の電子文書に取り込む編集の際、便利となる。本発明の情報処理装置では、少なくとも一つの識別情報入力手段が、加筆情報から特定の図形の加筆を選別して切り出す座標加筆情報切り出し手段と、切り出された加筆情報を文字認識する文字認識手段とからなるので、特定の図形を識別情報として認識し、紙面の任意の領域に加筆された図形によって、元の電子文書との関連付けを行うことができる。
【００１８】
本発明の情報処理装置では、少なくとも一つの識別情報入力手段が、特定の領域と予め定められたコード情報とを関連付け領域コードとして定義する特定領域コード化手段と、当該特定領域に加えられた加筆情報の順序を記録する特定領域加筆順序記録手段と、加筆順序と領域コードから識別情報を生成する識別情報生成手段とを有するので、更に、加筆順序にも情報識別機能を有するので、少ない加筆情報によって、より多くの識別情報をもたらし得る。本発明の情報処理装置では、少なくとも一つの識別情報入力手段が、加筆情報から特定の図形の加筆と予め定められたコード情報とを関連付け領域コードとして定義する、特定図形領域コード化手段と、当該特定図形領域に加えられた加筆情報の順序を記録する特定図形領域加筆順序記録手段と、加筆順序と領域コードから識別情報を生成する、識別情報生成手段を有するので、上述した各請求項記載の発明において、更に、バリエーションに富んだ対応が可能である。本発明の情報処理装置では、少なくとも一つの識別情報入力手段が、キーボードを有し、キーボードの入力によって識別情報を生成する識別情報生成手段を有するので、キーボードの入力によって識別情報を生成する識別情報生成手段を有し、上記各発明において、更に、識別機能の精度が向上し、より一層の利便性が得られる。
【図面の簡単な説明】
【図１】本発明を適用した情報処理装置の位置実施例を示す概要構成図である。
【図２】本発明の情報処理装置の一実施例を示すブロック構成図である。
【図３】本発明の情報処理装置の制御手順例を示すフローチャートである。
【図４】本発明のタブレット装置の実施例を示すブロック構成図である。
【図５】本発明において使用する紙文書の例を示す図である。
【図６】本発明のタブレット装置他の実施例を示すブロック構成図である。
【図７】本発明において使用する紙文書の他の例を示す図である。
【図８】本発明のタブレット装置他の実施例を示すブロック構成図である。
【図９】本発明において使用する紙文書の他の例を示す図である。
【図１０】本発明のタブレット装置他の実施例を示すブロック構成図である。
【図１１】本発明において使用する紙文書の他の例を示す図である。
【図１２】本発明のタブレット装置他の実施例を示す概要構成図である。
【符号の説明】
１  ホストコンピュータ、２  印刷装置、３  タブレット型装置（デジタイザ）、４  紙文書、５  ペン型加筆装置、１１  記憶装置（記憶手段）、１２  取得情報関連付け装置、１３  座標取得装置、１４  識別情報取得装置、１５  取得情報保存装置、１６  ＣＰＵ、２０、３０  識別領域切出し装置、２１、４０、５０  識別領域設定装置、２２、３３  文字識別装置、２３、４３  識別領域、３１  識別領域図形設定装置、３２  識別領域認識装置、３４  識別領域図形、４１、５１  入力順序記憶装置、４２、５２  識別情報解読装置、６０  キーボード。
【図１】
0004689112.tif 000002
【図２】
0004689112.tif 000003
【図３】
0004689112.tif 000004
【図４】
0004689112.tif 000005
【図５】
0004689112.tif 000006
【図６】
0004689112.tif 000007
【図７】
0004689112.tif 000008
【図８】
0004689112.tif 000009
【図９】
0004689112.tif 000010
【図１０】
0004689112.tif 000011
【図１１】
0004689112.tif 000012
【図１２】
0004689112.tif 000013